【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
電源供給から複数の電力貯蔵装置への電流の供給用のシステムであって、
前記電流を電源供給から受け取るように構成され、電流を前記複数の電力貯蔵装置のうちの第１の電力貯蔵装置に供給するように構成された第１の充電装置と、
前記第１の充電装置に結合された電流制御装置であって、電流を前記電源供給から受け取るかまたは前記第１の電力貯蔵装置に供給するかの少なくとも一方を選択的に可能にするように構成された電流制御装置と、
前記第１の充電装置に結合されてネットワークを形成する少なくとも１つの第２の充電装置であって、電流を前記電源供給から受け取るように構成され、電流を前記複数の電力貯蔵装置のうちの第２の電力貯蔵装置に供給するように構成された第２の充電装置と、を含み、
前記第１の充電装置は第１のプロセッサを含み、
前記第１のプロセッサは、
前記第１の充電装置に付随する第１の充電パラメータを決定することと、
前記第１の充電装置に付随する第１の優先度を決定することと、
前記第２の充電装置に付随する第２の充電パラメータを決定することと、
前記第２の充電装置に付随する第２の優先度を決定することと、
前記電源供給から受け取るべきまたは前記第１の電力貯蔵装置に供給すべきの少なくとも一方の第２の電流量を、前記決定された第１および前記第２の充電パラメータと前記第１および第２の優先度とに少なくとも部分的に基づいて、決定することと、
前記決定された第２の電流量を前記第１の充電装置が受け取るかまたは前記第１の電力貯蔵装置に供給するかの少なくとも一方を可能にすることと、を行なうようにプログラムされているシステム。
【請求項２】
前記第１のプロセッサはさらに、前記ネットワークに付随する第３の充電パラメータを決定するようにプログラムされている請求項１に記載の前記システム。
【請求項３】
前記第１のプロセッサはさらに、前記第１の充電装置がいつネットワーク・トークンを保有するのかを決定するようにプログラムされ、そうである場合には、前記第１のプロセッサはさらに、第１の充電パラメータ・データ要求を前記少なくとも１つの第２の充電装置に送信し、前記第２の優先度および第２の充電パラメータ・データを前記少なくとも１つの第２の充電装置から受け取るようにプログラムされている請求項１または２に記載の前記システム。
【請求項４】
前記第２の充電装置が前記ネットワーク・トークンを保有するときに、前記第１のプロセッサはさらに、前記第１の充電装置に付随する前記第１の優先度および前記第１の充電パラメータ・データを、前記少なくとも１つの第２の充電装置に、前記少なくとも１つの第２の充電装置からの第２の充電パラメータ・データ要求に応答して通信するようにプログラムされている請求項１乃至３のいずれかに記載の前記システム。
【請求項５】
前記第１の優先度は、少なくとも部分的に、前記第１の充電装置の充電時間およびステータスに基づいて決定される請求項１乃至４のいずれかに記載の前記システム。
【請求項６】
前記第１の優先度は、少なくとも部分的に、前記第１の充電装置の物理的場所、前記第１の充電装置の素性、またはユーザの素性のうちの１つに基づいて決定される請求項１乃至５のいずれかに記載の前記システム。
【請求項７】
前記第１の充電装置は、前記ネットワーク・トークンを作成するように構成されている請求項３に記載の前記システム。
【請求項８】
前記第１の充電装置はさらに、前記ネットワーク・トークンを前記第２の充電装置に所定の時間後に与えるように構成されている請求項３に記載の前記システム。
【請求項９】
前記第１の充電装置に付随する前記第１の充電パラメータには、前記第１の充電装置が受け取るかまたは供給する少なくとも一方の第１の電流量が含まれる請求項１乃至８のいずれかに記載の前記システム。
【請求項１０】
電力貯蔵装置を充電するための充電装置であって、
電流を前記電源供給から受け取るかまたは前記電力貯蔵装置に供給するかの少なくとも一方を選択的に可能にするように構成された電流制御装置と、
少なくとも１つの第２の充電装置に結合してネットワークを形成するように構成されたネットワーク・インターフェースと、
前記電流制御装置に結合されたプロセッサであって、
前記第１の充電装置に付随する第１の充電パラメータを決定することと、
前記第１の充電装置に付随する第１の優先度を決定することと、
前記第２の充電装置に付随する第２の充電パラメータを決定することと、前記第２の充電装置に付随する第２の優先度を決定することと、
前記電源供給から受け取るべきまたは前記第１の電力貯蔵装置に供給すべきの少なくとも一方の第２の電流量を、前記決定された第１および前記第２の充電パラメータと前記第１および第２の優先度とに少なくとも部分的に基づいて決定することと、
前記決定された第２の電流量を前記第１の充電装置が受け取るかまたは前記電力貯蔵装置に供給するかの少なくとも一方を可能にすることと、
を行なうようにプログラムされているプロセッサと、を含む充電装置。
【請求項１１】
前記充電装置は、配電装置に結合されるように構成され、さらに前記配電装置からの電流を前記電力貯蔵装置に供給するように構成されている請求項１０に記載の充電装置。
【請求項１２】
前記充電装置がネットワーク・トークンを保有するときに、前記第１のプロセッサはさらに、第１の充電パラメータ・データ要求を前記少なくとも１つの第２の充電装置に送信し、前記第２の優先度および第２の充電パラメータ・データを前記少なくとも１つの第２の充電装置から受け取るようにプログラムされている請求項１０または１１に記載の充電装置。
【請求項１３】
前記第１のプロセッサはさらに、前記第１の充電装置がいつネットワーク・トークンを保有するのかを決定するようにプログラムされ、そうである場合には、前記第１のプロセッサはさらに、第１の充電パラメータ・データ要求を前記少なくとも１つの第２の充電装置に送信し、前記第２の優先度および第２の充電パラメータ・データを前記少なくとも１つの第２の充電装置から受け取るようにプログラムされている請求項１０乃至１２のいずれかに記載の充電装置。
【請求項１４】
前記第２の充電装置が前記ネットワーク・トークンを保有するときに、前記第１のプロセッサはさらに、前記第１の充電装置に付随する前記第１の優先度および第１の充電パラメータ・データを前記少なくとも１つの第２の充電装置に、前記少なくとも１つの第２の充電装置からの第２の充電パラメータ・データ要求に応答して通信するようにプログラムされている請求項１０乃至１３のいずれかに記載の充電装置。
【請求項１５】
前記第１の優先度は、少なくとも部分的に、前記第１の充電装置の前記充電時間およびステータスに基づいて決定される請求項１０乃至１４に記載の充電装置。
【請求項１６】
前記第１の優先度は、少なくとも部分的に、前記第１の充電装置の物理的場所、前記第１の充電装置の素性、またはユーザの素性のうちの１つに基づいて決定される請求項１０乃至１５のいずれかに記載の充電装置。
【請求項１７】
前記第１の充電装置はさらに、前記ネットワーク・トークンを前記第２の充電装置に所定の時間後に与えるように構成されている請求項１３に記載の前記システム。
【請求項１８】
電力貯蔵装置に電流を供給する方法であって、
少なくとも第１の充電装置および第２の充電装置をネットワーク内に構成することであって、前記第１の充電装置は、電流を前記電源供給から受け取るかまたは前記電力貯蔵装置に供給するかの少なくとも一方を選択的に可能にするように構成された電流制御装置を含む、構成することと、
前記第１の充電装置がネットワーク・トークンを保有するか否かを判定することと、そうである場合には、
前記第１の充電装置に付随する第１の充電パラメータを決定することと、前記第１の充電装置に付随する第１の優先度を決定することと、
前記第２の充電装置に付随する第２の充電パラメータを決定することと、
前記第２の充電装置に付随する第２の優先度を決定することと、
前記電源供給から受け取るべきまたは前記第１の電力貯蔵装置に供給すべきの少なくとも一方の第２の電流量を、前記決定された第１および前記第２の充電パラメータと前記第１および第２の優先度とに少なくとも部分的に基づいて決定することと、
前記決定された第２の電流量を前記第１の充電装置が受け取るかまたは前記第１の電力貯蔵装置に供給するかの少なくとも一方を可能にすることと、を含む方法。
【請求項１９】
前記充電装置がネットワーク・トークンを保有するときに、
第１の充電パラメータ・データおよび優先度データ要求を前記少なくとも１つの第２の充電装置に送信することと、
前記第２の優先度および充電パラメータ・データを前記少なくとも１つの第２の充電装置から受け取ることと、をさらに含む請求項１８に記載の方法。
【請求項２０】
前記ネットワーク・トークンを前記第２の充電装置に所定の時間後に与えることと、
前記第２の充電装置が前記ネットワーク・トークンを保有するときに、前記第１の充電装置に付随する前記第１の優先度および第１の充電パラメータ・データを前記少なくとも１つの第２の充電装置に、前記少なくとも１つの第２の充電装置からの第２の充電パラメータ・データ要求に応答して通信することと、をさらに含む請求項１９に記載の方法。